(57)【要約】【課題】持ち運びが容易で、簡便な操作で警報音を発生させ、必要ないときには警報音を発生しないようにすることを可能とした、携帯端末及びそのプログラムを提供する。【解決手段】検出部から出力された振動または衝撃の値が、閾値記憶部に記憶されている閾値を越えたと判定した場合に制御信号を出力する閾値判定手段と、前記制御信号が出力されたときから警報音発生待ち時間記憶部に記憶されている待ち時間が経過したかを計測し、前記待ち時間が経過した場合には警報音を発生させ、前記待ち時間が経過する前に停止ボタンの押下を検出した場合には、前記警報音を発生させないよう制御する警報音制御手段と、を含む携帯端末とした。【選択図】      図１
2008135930.tif 000002
【特許請求の範囲】
【請求項１】
振動または衝撃を検知する検出部と、
警報音を発生させるまでの待ち時間を記憶する警報音発生待ち時間記憶部と、
振動または衝撃の値の閾値を記憶する閾値記憶部と、
警報音を停止させるための停止ボタンの種別を記憶する警報音停止ボタン記憶部と、を含み、
前記検出部から出力された振動または衝撃の値が前記閾値記憶部に記憶されている閾値を越えたと判定した場合に制御信号を出力する閾値判定手段と、
前記制御信号が出力されたときから前記警報音発生待ち時間記憶部に記憶されている待ち時間が経過したかを計測し、前記待ち時間が経過した場合には警報音を発生させ、前記待ち時間が経過する前に前記停止ボタンの押下を検出した場合には前記警報音を発生させないよう制御する警報音制御手段と、
をさらに含むことを特徴とする携帯端末。
【請求項２】
前記携帯端末は、外部から入力された前記待ち時間を前記警報音発生待ち時間記憶部に記憶させる警報音発生待ち時間設定手段をさらに含む、
ことを特徴とする請求項１に記載の携帯端末。
【請求項３】
前記携帯端末は、外部から入力された前記閾値を前記閾値記憶部に記憶させる閾値設定手段をさらに含む、
ことを特徴とする請求項１または請求項２の何れか１項に記載の携帯端末。
【請求項４】
前記携帯端末は、外部から入力された前記停止ボタンの種別を前記警報音停止ボタン記憶部に記憶させる警報音停止ボタン設定手段をさらに含む、
ことを特徴とする請求項１から請求項３の何れか１項に記載の携帯端末。
【請求項５】
前記警報音制御手段は、前記警報音を発生させた後に前記停止ボタンの押下を検出した場合には前記警報音の発生を停止する、
ことを特徴とする請求項１から請求項４の何れか１項に記載の携帯端末。
【請求項６】
振動または衝撃を検知する検出部と、
警報音を発生させるまでの待ち時間を記憶する警報音発生待ち時間記憶部と、
振動または衝撃の値の閾値を記憶する閾値記憶部と、
警報音を停止させるための停止ボタンの種別を記憶する警報音停止ボタン記憶部と、を含む携帯端末のコンピュータに、
前記検出部から出力された振動または衝撃の値が前記閾値記憶部に記憶されている閾値を越えたと判定した場合に制御信号を出力する処理と、
前記制御信号が出力されたときから前記警報音発生待ち時間記憶部に記憶されている待ち時間が経過したかを計測し、前記待ち時間が経過した場合には警報音を発生させ、前記待ち時間が経過する前に前記停止ボタンの押下を検出した場合には前記警報音を発生させないよう制御する警報音制御処理と、を実行させることを特徴とするプログラム。
【請求項７】
前記プログラムは、外部から入力された前記待ち時間を前記警報音発生待ち時間記憶部に記憶させる警報音発生待ち時間設定処理をさらに実行させる、
ことを特徴とする請求項６に記載のプログラム。
【請求項８】
前記プログラムは、外部から入力された前記閾値を前記閾値記憶部に記憶させる閾値設定処理をさらに実行させる、
ことを特徴とする請求項６または請求項７の何れか１項に記載のプログラム。
【請求項９】
前記プログラムは、外部から入力された前記停止ボタンの種別を前記警報音停止ボタン記憶部に記憶させる警報音停止ボタン設定処理をさらに実行させる、
ことを特徴とする請求項６から請求項８の何れか１項に記載のプログラム。
【請求項１０】
前記警報音制御処理において、前記警報音を発生させた後に前記停止ボタンの押下を検出した場合には前記警報音の発生を停止する処理を実行させる、
ことを特徴とする請求項６から請求項９の何れか１項に記載のプログラム。
【発明の詳細な説明】
【技術分野】
【０００１】
本発明は、携帯端末及びそのプログラムに関し、特に、外部から加えられた振動または衝撃が所定レベル以上の場合に、所定待ち時間の経過後、自動的に警報音（警告ブザー音）を発生する、携帯端末及びそのプログラムに関する。
【背景技術】
【０００２】
近年、治安の悪化や犯罪の増加が社会問題化してきており、犯罪に遭わない、或いは、犯罪を遠ざけることを目指す防犯手段へのニーズが高まってきている。そして、防犯ブザーなどに代表される各種の防犯ツールが商品化されるようになってきている。
しかしながら、現状において、防犯ブザーをはじめとした各種の防犯ツールは、これを使用するユーザ側からみると、必ずしも使い勝手がよいものばかりではない、という問題を有している。例えば、防犯用のブザーを鳴らすだけ、という単機能のみを有するツールを常に携帯することは面倒であり、身に着けることを忘れてしまいがちになってしまう。或いは又、ブザーを作動させるためには、所定のスイッチボタンを押下する、など指定の操作を必要とするものが多く、非常時において瞬時に操作することが難しい、というようなことである。
【０００３】
このような問題点を解消するための一例として、一般ユーザが日常的に使用している携帯電話装置に、振動または衝撃を加えることにより、携帯電話装置が自動的に防犯ブザーを鳴らす、ということを提案しているものがある（例えば、特許文献１参照。）。
【０００４】
上述の特許文献１「防犯ブザー機能を備えた携帯電話装置及びその制御方法」には、以下のような携帯電話装置が記載されている。
【０００５】
すなわち、この携帯電話装置は、携帯電話装置本体に加わる振動または衝撃を検知する加速度センサと、ブザー音信号を生成するブザー音生成手段を有している。また、前記ブザー音生成手段により生成されたブザー音信号に基づいて発音する発音手段を有している。そして、前記加速度センサの検知出力に基づいて所定レベル以上の振動または衝撃が発生したと判定した場合に、ブザー音信号生成手段にブザー音を生成させ、前記発音手段を駆動する制御手段を有している。
【０００６】
このことにより、緊急時に、携帯電話装置を放り投げる等によって、携帯電話装置に衝撃・振動を与えることにより、自動的に防犯ブザーを鳴らすことができ、特に操作をすることなく防犯ブザー機能を実現することができる、としている。
【０００７】
また、他の一例として、事故など発生の非常時に自動的に緊急通報を行う、ことを提案しているものもある（例えば、特許文献２参照。）。
【０００８】
上述の特許文献２「車両用緊急通報装置及び車両の緊急通報方法」には、以下のような車両用緊急通報装置が記載されている。
【０００９】
すなわち、車両に搭載される情報発信装置は、Ｇセンサ（加速度センサ）によってトリガ信号が出力されると、ナビゲーション装置より自動車の現在位置を取得し、自動車電話装置のスピーカを利用して緊急通報を開始する旨を自動車の乗員に対して警告する。当該警告が行われた後、所定時間内に中止スイッチのＯＮ操作がなかった場合は、自動車電話装置によって、公共センタ、民間センタに緊急通報を行う。
【００１０】
このことにより、車両に事故が発生した場合に、車両の乗員による反応の有無を確認した上で、必要な場合にのみ緊急通報を行うことができる、としている。具体的には、車両に事故が発生した場合でも、乗員の身体への影響が軽微で自由が効く状態にあり、事故の通報を行わなくとも対処が可能であると判断される場合がある。そのときは、警告に応じて中止スイッチのＯＮ操作を所定時間内に行えば、緊急通報は行われない。一方、乗員の身体への影響が重大で、所定時間内に中止スイッチのＯＮ操作を行うことができない状態にあれば、自動的に緊急通報が行われる。
【００１１】
【特許文献１】特開２００５−３４７８４８号公報（第３−７頁、図１−５）
【特許文献２】特開２００１−１５５２８１号公報（第４−６頁、図１−８）
【発明の開示】
【発明が解決しようとする課題】
【００１２】
上述した特許文献１に記載の携帯電話装置は、携帯電話装置に振動または衝撃を加えると、即座に防犯ブザー音を鳴らすようになっている。従って、緊急時でない通常時に、携帯電話装置を取り落とすなど誤って振動等が加えられた場合であっても、防犯ブザー音を鳴らしてしまう、という欠点を有している。
【００１３】
また、加速度センサの検知出力に基づいて所定レベル以上の振動または衝撃が発生したかを判定するようになっているが、所定レベルの値を変更できるようにはなっていない。従って、携帯電話装置の普段の使用状況に応じて所定レベルの値を変更したいユーザには、対応不可能という欠点を有している。例えば、通常使用時には携帯電話装置にほとんど振動を与えないようなユーザは、緊急時には少しの振動等を加えただけで防犯ブザーが鳴るようになっていれば便利である。また、振動の多い車内等でも携帯電話装置の電源を投入しておきたいユーザは、より大きな振動等を加えた場合にだけ、防犯ブザーが鳴るようになっていれば便利である。
【００１４】
また、上述した特許文献２に記載の車両用緊急通報装置は、Ｇセンサ（加速度センサ）によってトリガ信号が出力されてから所定時間内に中止スイッチのＯＮ操作を行えば、緊急通報は行われないようになっている。しかしながら、車両に搭載される装置であるため、人が身につけて容易に持ち運べるようにはなっていない。また、車両に衝突事故などが発生した場合に、車両のエアバッグを展開するためのＧセンサが、トリガ信号を出力するようになっている。しかし、トリガ信号を出力する、と判定するための衝突のレベル値を変更出来るようにはなっていない。
【００１５】
本発明は上述した事情を改善するために成されたものであり、従って、本発明の目的は、持ち運びが容易で、簡便な操作で警報音を発生させ、必要ないときには警報音を発生しないようにすることを可能とした、携帯端末及びそのプログラムを提供することにある。
【課題を解決するための手段】
【００１６】
本発明の携帯端末は、
振動または衝撃を検知する検出部と、
警報音を発生させるまでの待ち時間を記憶する警報音発生待ち時間記憶部と、
振動または衝撃の値の閾値を記憶する閾値記憶部と、
警報音を停止させるための停止ボタンの種別を記憶する警報音停止ボタン記憶部と、を含み、
前記検出部から出力された振動または衝撃の値が前記閾値記憶部に記憶されている閾値を越えたと判定した場合に制御信号を出力する閾値判定手段と、
前記制御信号が出力されたときから前記警報音発生待ち時間記憶部に記憶されている待ち時間が経過したかを計測し、前記待ち時間が経過した場合には警報音を発生させ、前記待ち時間が経過する前に前記停止ボタンの押下を検出した場合には前記警報音を発生させないよう制御する警報音制御手段と、
をさらに含むことを特徴とする。
【００１７】
また、前記携帯端末は、外部から入力された前記待ち時間を前記警報音発生待ち時間記憶部に記憶させる警報音発生待ち時間設定手段をさらに含む、ことを特徴とする。
【００１８】
さらに、前記携帯端末は、外部から入力された前記閾値を前記閾値記憶部に記憶させる閾値設定手段をさらに含む、ことを特徴とする。
【００１９】
また、前記携帯端末は、外部から入力された前記停止ボタンの種別を前記警報音停止ボタン記憶部に記憶させる警報音停止ボタン設定手段をさらに含む、ことを特徴とする。
【００２０】
さらに、前記警報音制御手段は、前記警報音を発生させた後に前記停止ボタンの押下を検出した場合には前記警報音の発生を停止する、ことを特徴とする。
【００２１】
本発明のプログラムは、
振動または衝撃を検知する検出部と、
警報音を発生させるまでの待ち時間を記憶する警報音発生待ち時間記憶部と、
振動または衝撃の値の閾値を記憶する閾値記憶部と、
警報音を停止させるための停止ボタンの種別を記憶する警報音停止ボタン記憶部と、を含む携帯端末のコンピュータに、
前記検出部から出力された振動または衝撃の値が前記閾値記憶部に記憶されている閾値を越えたと判定した場合に制御信号を出力する処理と、
前記制御信号が出力されたときから前記警報音発生待ち時間記憶部に記憶されている待ち時間が経過したかを計測し、前記待ち時間が経過した場合には警報音を発生させ、前記待ち時間が経過する前に前記停止ボタンの押下を検出した場合には前記警報音を発生させないよう制御する警報音制御処理と、を実行させることを特徴とする。
【００２２】
また、前記プログラムは、外部から入力された前記待ち時間を前記警報音発生待ち時間記憶部に記憶させる警報音発生待ち時間設定処理をさらに実行させる、ことを特徴とする。
【００２３】
さらに、前記プログラムは、外部から入力された前記閾値を前記閾値記憶部に記憶させる閾値設定処理をさらに実行させる、ことを特徴とする。
【００２４】
また、前記プログラムは、外部から入力された前記停止ボタンの種別を前記警報音停止ボタン記憶部に記憶させる警報音停止ボタン設定処理をさらに実行させる、ことを特徴とする。
【００２５】
さらに、前記警報音制御処理において、前記警報音を発生させた後に前記停止ボタンの押下を検出した場合には前記警報音の発生を停止する処理を実行させる、ことを特徴とする。
【発明の効果】
【００２６】
本発明の携帯端末は、検出部から出力された振動または衝撃の値が閾値記憶部に記憶されている閾値を越えたと判定した場合に制御信号を出力する閾値判定手段を含んでいる。そして、前記制御信号が出力されたときから警報音発生待ち時間記憶部に記憶されている待ち時間が経過したかを計測し、前記待ち時間が経過した場合には警報音を発生させる警報音制御手段を含んでいる。また、前記待ち時間が経過する前に停止ボタンの押下を検出した場合には前記警報音を発生させないよう制御するようになっている。
【００２７】
従って、携帯端末に対して、誤って振動等を加えてしまった場合には、警報音の停止ボタンの押下により、警報音を発生させずに済むようにできる。
【００２８】
また、警報音の停止ボタンを押下しなければ、警報音が発生するので、犯罪などから身を守る、といった防犯効果を得ることが可能となる。
【発明を実施するための最良の形態】
【００２９】
次に、本発明の実施の形態について図面を参照して説明する。
【００３０】
図１は、本発明の携帯端末の一実施形態を示すブロック図である。
【００３１】
図１に示す本実施の形態は、携帯端末１００の動作制御を行う制御部２と、制御部２がリード／ライトする各種データを記憶する記憶部３を備えている。また、制御部２が出力する情報の表示を行う表示部４と、制御部２へのデータ入力を行う操作入力部５と、制御部２が出力する警告ブザー音を鳴動させる発音部６を備えている。さらに、携帯端末１００に加わる振動または衝撃の加速度を検知して制御部２に出力する加速度センサ７を備えている。
【００３２】
携帯端末１００は、携帯電話機やＰＨＳ（Ｐｅｒｓｏｎａｌ  Ｈａｎｄｙｐｈｏｎｅ  Ｓｙｓｔｅｍ：パーソナルハンディホンシステム）端末など、無線ネットワークを介して通信を行うことが可能な端末装置である。なお、図１においては、携帯電話機やＰＨＳ端末などが通常備えている無線部やアンテナ、或いは、通話機能部・メール機能部等、本発明の主題に直接関係しない部分は図示を省略している。
【００３３】
制御部２は、図示を省略したＣＰＵ（Ｃｅｎｔｒａｌ  Ｐｒｏｃｅｓｓｉｎｇ  Ｕｎｉｔ：中央処理装置）を備え、記憶部３或いは他の図示しない記憶装置に格納されているコンピュータプログラムに従って動作するよう構成されている。
【００３４】
次に、図２を参照して、図１に示した携帯端末１００の詳細について説明する。
【００３５】
図２は、図１に示した携帯端末の一例を示す詳細ブロック図である。なお、図２において図１に示す構成要素に対応するものは同一の参照数字または符号を付し、その説明を省略するものとする。
【００３６】
図２において、表示部４は、各種の情報表示を行うＬＣＤ（Ｌｉｑｕｉｄ  Ｃｒｙｓｔａｌ  Ｄｉｓｐｌａｙ：液晶ディスプレイ）４１、ＬＣＤ４１を発光させる為のＬＣＤバックライト４２、ＬＣＤバックライト４２のＲＧＢ（Ｒｅｄ（赤）、Ｇｒｅｅｎ（緑）、Ｂｌｕｅ（青））の発光色を制御するＲＧＢコントローラ４３を有している。
【００３７】
操作入力部５は、「０」〜「９」の数字を入力するための数字ボタンや、電源ＯＮ、通話開始、などといった各種の機能を実行するための機能ボタンなどから構成される操作ボタン５１を有している。操作ボタン５１を操作することにより、携帯端末１００に対する各種の設定やデータ入力などを行うことができるようになっている。
【００３８】
発音部６は、警告ブザー音や、その他、操作入力部５における操作音等を発するスピーカ６１と、スピーカ６１を駆動するスピーカ駆動部６２を有している。
【００３９】
加速度センサ７は、携帯端末１００に加わる振動または衝撃の加速度を検知し、検知した加速度を制御部２に出力する。振動または衝撃の加速度を検知するセンサとしては、通常、一度に検知できる軸方向の数によって「１軸加速度センサ」「２軸加速度センサ」「３軸加速度センサ」などがあり、本実施形態においては、何れのセンサを用いてもよい。
【００４０】
但し、以降の説明においては、本実施形態における加速度センサ７は、１素子でＸＹＺの３軸すべての加速度を測定する３軸加速度センサであるものとして説明を行うものとする。なお、この３軸加速度センサは、検知した加速度情報を、３軸それぞれに、＋１ｇ、＋０．７ｇといったデジタルデータとして、制御部２に出力するよう構成されているものとする。ここでｇは、重力加速度である。
【００４１】
ここで、以降の説明の容易化のため、本実施形態の動作概要について説明を行っておく。
【００４２】
本実施形態の携帯端末１００は、加速度センサ７で、携帯端末１００に加わる振動または衝撃の加速度を検知している。そして、検知した加速度が、携帯端末１００に設定してある加速度閾値を越えた場合には、警告ブザー音を鳴動させるための警告ブザー音発生モードに切り替わる。警告ブザー音発生モードに切り替わると、タイマーを起動し、携帯端末１００に設定してある所定の待ち時間の経過をカウントする。タイマーがタイムアウトして所定の待ち時間が経過した場合には、警告ブザー音を鳴動させる。但し、所定の待ち時間内に、携帯端末１００に設定してあるブザー音停止ボタンが押下された場合には、警告ブザー音を鳴動させず、警告ブザー音発生モードを解除する。
【００４３】
図２に戻り、記憶部３は、ブザー音発生待ち時間記憶部３１、加速度閾値記憶部３２、ブザー音停止ボタン記憶部３３、ブザー音記憶部３４を有している。
【００４４】
ブザー音発生待ち時間記憶部３１は、上述の動作概要で説明した、警告ブザー音を鳴動させるまでの所定の待ち時間を記憶する。例えば、５秒、などの時間を記憶する。
【００４５】
加速度閾値記憶部３２は、上述の動作概要で説明した加速度閾値を記憶する。例えば、０．７ｇ、などの加速度の閾値を記憶する。ここでｇは、重力加速度である。なお、本実施形態においては、加速度閾値を、加速度の所定レベル、と称する場合もある。
【００４６】
なお、加速度センサ７から出力されるＸＹＺ３軸方向の何れかの加速度が、加速度閾値記憶部３２に記憶されている加速度閾値を越えた場合に、携帯端末１００は、上述の動作概要で説明した、警告ブザー音発生モードに切り替わるものとする。
【００４７】
ブザー音停止ボタン記憶部３３は、上述の動作概要で説明した、警告ブザー音を鳴動させないために押下するブザー音停止ボタンを記憶する。例えば、操作ボタン５１の内の数字０のボタン、などボタンの種別を記憶する。なお、後述するが、ブザー音停止ボタンは、一旦鳴動を始めた警告ブザー音を止める際にも使用することができる。
【００４８】
ブザー音記憶部３４は、ブザー音の波形データのようなブザー音情報を記憶する。
【００４９】
制御部２は、ブザー音発生待ち時間設定部２１、加速度閾値設定部２２、ブザー音停止ボタン設定部２３を有している。
【００５０】
ブザー音発生待ち時間設定部２１は、上述の動作概要で説明した、警告ブザー音を鳴動させるまでの所定の待ち時間を、操作入力部５から入力させて、ブザー音発生待ち時間記憶部３１に設定し記憶させる。
【００５１】
加速度閾値設定部２２は、上述の動作概要で説明した加速度閾値を、操作入力部５から入力させて、加速度閾値記憶部３２に設定し記憶させる。
【００５２】
ブザー音停止ボタン設定部２３は、上述の動作概要で説明した、警告ブザー音を鳴動させないために押下するブザー音停止ボタンの種別を、操作入力部から入力させて、ブザー音停止ボタン記憶部３３に設定し記憶させる。
【００５３】
制御部２は又、ブザー音制御部２５、ブザー音待ち時間タイマー２６、加速度閾値判定部２７を有している。
【００５４】
ブザー音制御部２５は、警告ブザー音の鳴動や鳴動停止の動作を制御する。
【００５５】
ブザー音待ち時間タイマー２６は、上述の動作概要で説明した、警告ブザー音を鳴動させるまでの所定の待ち時間をカウントするタイマーである。
【００５６】
加速度閾値判定部２７は、加速度センサ７から出力される加速度が、加速度閾値記憶部３２に記憶されている加速度閾値を越えたか否かを判定する。加速度閾値を越えた加速度が検知された場合、ブザー音制御部２５に通知し、ブザー音制御部２５を動作させる。
【００５７】
次に、図３〜６を参照して、本実施形態の動作について説明する。
【００５８】
先ず、図３を参照して、制御部２のブザー音発生待ち時間設定部２１の動作について説明する。
【００５９】
図３は、制御部のブザー音発生待ち時間設定部の動作を説明するフローチャートである。
【００６０】
制御部２のブザー音発生待ち時間設定部２１が動作を開始すると、携帯端末１００のユーザに、警告ブザー音を鳴動させるまでの待ち時間を、操作入力部５から入力させる（図３のステップＳ１０）。そして、入力された待ち時間を、記憶部３のブザー音発生待ち時間記憶部３１に設定して記憶させ（ステップＳ１１）、動作を終了する。待ち時間の値としては、ユーザが設定したい任意長の時間を設定することが可能である。
【００６１】
次に、図４を参照して、制御部２の加速度閾値設定部２２の動作について説明する。
【００６２】
図４は、制御部の加速度閾値設定部の動作を説明するフローチャートである。
【００６３】
制御部２の加速度閾値設定部２２が動作を開始すると、携帯端末１００のユーザに、加速度閾値を、操作入力部５から入力させる（図４のステップＳ２０）。そして、入力された加速度閾値を、記憶部３の加速度閾値記憶部３２に設定して記憶させ（ステップＳ２１）、動作を終了する。加速度閾値としては、ユーザが設定したい任意の閾値を設定することが可能である。
【００６４】
なお、加速度閾値記憶部３２には、初期設定値として、０．５ｇが設定されているものとする。この加速度閾値は、携帯端末１００の通常の使用状態では、０．５ｇを越える加速度はほとんど検知されないことから定めた値である。
【００６５】
次に、図５を参照して、制御部２のブザー音停止ボタン設定部２３の動作について説明する。
【００６６】
図５は、制御部のブザー音停止ボタン設定部の動作を説明するフローチャートである。
【００６７】
制御部２のブザー音停止ボタン設定部２３が動作を開始すると、携帯端末１００のユーザに、ブザー音停止ボタンの種別を、操作入力部５から入力させる（図５のステップＳ３０）。そして、入力されたブザー音停止ボタンの種別を、記憶部３のブザー音停止ボタン記憶部３３に設定して記憶させ（ステップＳ３１）、動作を終了する。
ブザー音停止ボタンの種別としては、数字ボタンや機能ボタンの内、ユーザが設定したい任意のボタンを選択して設定することが可能である。
【００６８】
なお、上述したブザー音発生待ち時間設定部２１、加速度閾値設定部２２、ブザー音停止ボタン設定部２３などの動作は、操作入力部５の操作ボタン５１の内の機能ボタンなどを操作することによって開始されるようになっている。
【００６９】
次に、図６を参照して、携帯端末１００に振動または衝撃が加えられた場合の動作について説明する。なお、この動作は、制御部２のブザー音制御部２５、ブザー音待ち時間タイマー２６、加速度閾値判定部２７が連動して行われるようになっている。
【００７０】
図６は、携帯端末に振動または衝撃が加えられた場合の動作を説明するフローチャートである。
【００７１】
携帯端末１００に電源が投入されると、携帯端末１００は待ち受け状態になる（図６のステップＳ５０）。
【００７２】
この状態で、携帯端末１００に振動または衝撃が加えられた場合、加速度センサ７は、ＸＹＺ３軸方向にて発生した加速度を検出し、制御部２の加速度閾値判定部２７へ出力する（ステップＳ５１）。
【００７３】
加速度閾値判定部２７は、加速度センサ７から出力されたＸＹＺ３軸方向各々の加速度の何れかが、予め加速度閾値記憶部３２に設定されている加速度閾値を越えているかの判定を行う（ステップＳ５２）。すなわち、加速度閾値判定部２７は、加速度センサ７から出力された加速度が、加速度の所定レベルを越えているかの判定を行う。
【００７４】
判定の結果、３軸方向の何れかの加速度が加速度閾値以上である場合は（ステップＳ５２でＹｅｓ）、その旨の制御信号をブザー音制御部２５に出力し、ブザー音制御部２５を動作させる（ステップＳ５３に進む）。ステップＳ５２において、３軸方向の何れの加速度も加速度閾値以上でなかった場合は（ステップＳ５２でＮｏ）、何も行わずにステップＳ５０に戻る。
【００７５】
ブザー音制御部２５は、携帯端末１００を警告ブザー音発生モードに切り替える（ステップＳ５３）。そして、ブザー音発生待ち時間記憶部３１に設定されている待ち時間を、ブザー音待ち時間タイマー２６にセットして、ブザー音待ち時間タイマー２６を起動する（ステップＳ５４）。ブザー音待ち時間タイマー２６は、待ち時間のカウントを開始する。
【００７６】
なお、ブザー音制御部２５が、携帯端末１００を警告ブザー音発生モードに切り替えた際、待ち受け状態から警告ブザー音発生モードに切り替えたことを、表示部４に表示する、或いは、発音部６から音声で通知する。このことにより、携帯端末１００のユーザは、携帯端末１００が警告ブザー音発生モードに切り替わったことを認識できる。従って、ユーザは、そのまま警告ブザー音を発生させるか、或いは、警告ブザー音の発生を止めるようにするかを判断できるようになる。
【００７７】
その後、ブザー音制御部２５は、ブザー音待ち時間タイマー２６がタイムアウトする前に、ブザー音停止ボタンが押下されたかを判定する（ステップＳ５５）。ブザー音停止ボタンが押下された場合は（ステップＳ５５でＹｅｓ）、ステップＳ５３で切り替えた警告ブザー音発生モードを解除して元の待受け状態に戻る（ステップＳ５０に戻る）。つまり、ブザー音待ち時間タイマー２６がタイムアウトする前に、ブザー音停止ボタンを押下すれば、警告ブザー音発生モードは解除され、警告ブザー音を鳴動させることはない。
【００７８】
ブザー音停止ボタンが押下されていない場合は（ステップＳ５５でＮｏ）、次に、ブザー音待ち時間タイマー２６がタイムアウトしたかを判定する（ステップＳ５６）。ブザー音待ち時間タイマー２６がタイムアウトしていない場合は（ステップＳ５６でＮｏ）、ステップＳ５５に戻り、タイムアウトした場合は（ステップＳ５６でＹｅｓ）、警告ブザー音を発音部６で発生させる（ステップＳ５７）。
【００７９】
なお、警告ブザー音を発生させるためには、ブザー音記憶部３４に設定されているブザー音情報を、発音部６のスピーカ駆動部６２に供給する。すると、スピーカ駆動部６２がブザー音情報に従ってスピーカ６１を駆動させるので、スピーカ６１が鳴動し、警告ブザー音が発生するようになっている。
【００８０】
ブザー音制御部２５は、ステップＳ５７で警告ブザー音を発生させた後、ブザー音停止ボタンが押下されたかを判定する（ステップＳ５８）。ブザー音停止ボタンが押下された場合は（ステップＳ５８でＹｅｓ）、警告ブザー音の発生を停止させる（ステップＳ５９）。そして、警告ブザー音発生モードを解除して元の待受け状態に戻る（ステップＳ５０に戻る）。
【００８１】
ブザー音停止ボタンが押下されていない場合は（ステップＳ５８でＮｏ）、ステップＳ５７に戻り、警告ブザー音の発生を継続させる。
【００８２】
以上、本発明の実施形態について詳細に説明した。
【００８３】
上述した実施形態においては、携帯端末１００に対し、振動または衝撃を加える操作を行うと、所定の待ち時間が経過した後に、自動的に警告ブザー音を発生させることができる。また、所定の待ち時間が経過する前に、ユーザが設定しておいたブザー音停止ボタンを押下すれば、警告ブザー音は発生しないようになっている。
【００８４】
従って、誤って振動等を加えてしまった場合には、ブザー音停止ボタンの押下により、警告ブザー音を発生させずに済むようにできる。また、ブザー音停止ボタンを押下しなければ、従来と同様、警告ブザー音が発生するので、犯罪などから身を守る、といった防犯効果を得ることが可能となる。また、事故や災害等の非常時に、携帯端末１００のユーザ自身の存在を周囲に知らせる、という非常連絡手段として用いることが可能となる。
【００８５】
また、警告ブザー音の発生要否の判定基準となる加速度閾値を設定できるようになっている。
【００８６】
従って、ユーザの携帯端末１００の使用状況に応じた条件設定が可能となる。例えば、通常使用時には携帯端末１００にほとんど振動を与えないようなユーザは、加速度閾値を小さく設定しておけば、緊急時には少しの振動等を加えただけで警告ブザー音を発生させることができる。また、振動の多い車内等でも携帯端末１００の電源を投入しておきたいユーザは、加速度閾値を大きく設定しておけば、車内よりも大きな振動等を加えた場合にだけ、警告ブザー音を発生させることができる。
【００８７】
さらに、加速度閾値を越える振動あるいは衝撃が加えられてから、警告ブザー音を発生させるまでの待ち時間を、任意に設定できるようになっている。
【００８８】
従って、誤って振動等を加えてしまう、といった誤操作をほとんど起こさないようなユーザは、小さな待ち時間を設定しておけば、即座に警告ブザー音を発生させることが可能となる。
【００８９】
またさらに、ブザー音停止ボタンをユーザが希望する任意のボタンに設定することが可能となっている。
【００９０】
従って、第三者がそのボタンがどれであるかを知ることは困難であり、第三者が警告ブザー音を停止させることは困難となっている。
【００９１】
なお、上述した本実施形態においては、警告のための音として、ブザー音を発生させるものとして説明を行った。しかし、警告のための音としては、ブザー音に限らず、他の種類の警報音であってもよい。例えば、他人の注意をひく為のサイレン音のような音であってもよいし、或いは、他人が驚きや不快を感じるような音であってもよい。このような警報音を発生させるためには、上述した本実施形態の携帯端末１００のブザー音記憶部３４に、警報音の波形データなどを記憶させておけばよい。
【図面の簡単な説明】
【００９２】
【図１】本発明の携帯端末の一実施形態を示すブロック図である。
【図２】図１に示した携帯端末の一例を示す詳細ブロック図である。
【図３】制御部のブザー音発生待ち時間設定部の動作を説明するフローチャートである。
【図４】制御部の加速度閾値設定部の動作を説明するフローチャートである。
【図５】制御部のブザー音停止ボタン設定部の動作を説明するフローチャートである。
【図６】携帯端末に振動または衝撃が加えられた場合の動作を説明するフローチャートである。
【符号の説明】
【００９３】
１００    携帯端末
２    制御部
２１    ブザー音発生待ち時間設定部
２２    加速度閾値設定部
２３    ブザー音停止ボタン設定部
２５    ブザー音制御部
２６    ブザー音待ち時間タイマー
２７    加速度閾値判定部
３    記憶部
３１    ブザー音発生待ち時間記憶部
３２    加速度閾値記憶部
３３    ブザー音停止ボタン記憶部
３４    ブザー音記憶部
４    表示部
４１    ＬＣＤ
４２    ＬＣＤバックライト
４３    ＲＧＢコントローラ
５    操作入力部
５１    操作ボタン
６    発音部
６１    スピーカ
６２    スピーカ駆動部
７    加速度センサ
【図１】
2008135930.tif 000003
【図２】
2008135930.tif 000004
【図３】
2008135930.tif 000005
【図４】
2008135930.tif 000006
【図５】
2008135930.tif 000007
【図６】
2008135930.tif 000008